(57)【要約】  電気プラグ型コネクタが、電気絶縁材料製のハウジングと、電気信号を送信する導電性の第１の接続要素とを備える。プラグ型コネクタのハウジングが、電気絶縁材料製のコード化突起を有する。更に、導電性の第２の接続要素がコード化突起内に配置される。【選択図】図２
2014507780.tif 000002
【特許請求の範囲】
【請求項１】
電気絶縁材料製のハウジング（１１０）を有し、電気信号を送信するための導電性の第１の接続要素（２００）を有する電気プラグ型コネクタ（１００）であって、前記プラグ型コネクタ（１００）の前記ハウジング（１１０）が電気絶縁材料製のコード化突起（３００）を有し、
導電性の第２の接続要素（３１０）が前記コード化突起（３００）内に配置されることを特徴とする電気プラグ型コネクタ（１００）。
【請求項２】
前記第２の接続要素（３１０）には前記プラグ型コネクタ（１００）の挿入側から接触可能であることを特徴とする請求項１に記載の電気プラグ型コネクタ（１００）。
【請求項３】
前記第１の接続要素（２００）が金属製接続ピンであることを特徴とする請求項１又は２に記載の電気プラグ型コネクタ（１００）。
【請求項４】
前記第２の接続要素（３１０）が金属製接続ピンであることを特徴とする請求項１乃至３のいずれか一項に記載の電気プラグ型コネクタ（１００）。
【請求項５】
前記第２の接続要素（３１０）がテスト、検証又はプログラミング信号を伝達するために設けられることを特徴とする請求項１乃至４のいずれか一項に記載の電気プラグ型コネクタ（１００）。
【請求項６】
前記プラグ型コネクタ（１００）が複数の第１の接続要素（２００）を有することを特徴とする請求項１乃至５のいずれか一項に記載の電気プラグ型コネクタ（１００）。
【請求項７】
前記ハウジング（１１０）がカラー（１２０）を有し、前記第１の接続要素（２００）が前記カラー（１２０）によって画定される前記ハウジング（１１０）の領域に配置されることを特徴とする請求項１乃至６のいずれか一項に記載の電気プラグ型コネクタ（１００）。
【請求項８】
前記コード化突起（３００）が前記カラー（１２０）によって画定される前記ハウジング（１１０）の前記領域に配置されることを特徴とする請求項１乃至７のいずれか一項に記載の電気プラグ型コネクタ（１００）。
【請求項９】
前記コード化突起（３００）は底面が台形の筒形状を有し、前記コード化突起（３００）の長手軸が前記プラグ型コネクタ（１００）の挿入方向と平行に配向され、前記コード化突起（３００）が前記カラー（１２０）に当接した状態で配置される請求項７又は請求項８に記載の電気プラグ型コネクタ（１００）。
【発明の詳細な説明】
【技術分野】
【０００１】
本発明は、特許請求の範囲の請求項１の前文に記載の電気プラグ型コネクタに関する。
【背景技術】
【０００２】
電気プラグ型コネクタは、多種多様な形態のものが知られている。電気プラグ型コネクタは、一般的に、例えば接続ピンとして構成されることができる１つ以上の電気接点を有する。
【０００３】
電気プラグ型コネクタに接続要素を配置する際、様々な補助的条件を考慮しなければならない。例えば、プラグ型コネクタの２つの接続要素間の好ましくない電気アーク及び／又は漏れ電流を防止するため、一定の空隙及び漏れ経路が守られなければならない。高電圧及び／又は高電流を流すために設けられたプラグ型コネクタにおいては、適切な構造的方策によって、プラグ型コネクタのユーザが不注意で起こる電気接続要素同士の接触を効果的に防止することが更に必要である。
【０００４】
更に、電気プラグ型コネクタにコード化突起を設けることも知られている。このようなコード化突起は、そのコード化突起を備える電気プラグ型コネクタが、このコード化突起を備える電気プラグ型コネクタと係合するために提供される適切なプラグ型コネクタ対応部品にのみ接続できることを保証するように機能する。それによって、電気プラグ型コネクタは、誤ったプラグ型コネクタ対応部品に不注意で係合することが防止される。
【０００５】
経験によれば、一定の構造及び一定の配置の電気接続要素を備える既存の電気プラグ型コネクタは、この電気プラグ型コネクタに他の電気接続要素を追加するように変更する必要がある場合がある。これは、特に小さな電気プラグ型コネクタの場合に困難になることがある。ある程度、更なる電気接続要素の追加は、上述の補助的条件の内の一つを侵害することによってのみ可能である。例えば、更なる電気接続要素を追加することによって、２つの隣接する接続要素間の最低限必要な間隔が得られない可能性がある。電気プラグ型コネクタに更なる電気接続要素を追加することは、例えば、更なる電気接続を行い、それによって、電気回路、コントローラ又はＡＳＩＣが検証、トレーニング、又はプログラミングされることができるようにするために必要である可能性がある。
【発明の概要】
【発明が解決しようとする課題】
【０００６】
本発明の目的は、従って、改善した電気プラグ型コネクタを提供することである。この目的は、請求項１の特徴を有する電気プラグ型コネクタによって達成される。好適な発展型は、従属の請求項において述べられている。
【課題を解決するための手段】
【０００７】
本発明に従う電気プラグ型コネクタは、電気絶縁材料製のハウジングと、電気信号を送信する導電性の第１の接続要素を備える。このプラグ型コネクタのハウジングが、電気絶縁材料から構成されるコード化突起を有する。更に、コード化突起内には導電性の第２の接続要素が配置される。従って、第２の接続要素が、電気回路を検証、トレーニング、又はプログラミングするために使用されることができることが有利である。他の利点は、第２の接続要素が、コード化突起のために設けられた電気プラグ型コネクタの空間を使用するので更なる空間を要しないことである。
【０００８】
第２の接続要素は、好ましくは、プラグ型コネクタの挿入側からアクセス可能である。従って、第２の接続要素が、適切なプラグ型コネクタ対応部品によって接触されることができることが有利である。
【０００９】
電気プラグ型コネクタの一実施形態では、第１の接続要素が金属製の接続ピンである。従って、電気プラグ型コネクタに嵌合するプラグ型コネクタ対応部品が、ソケットとして構成されてもよいことが有利である。
【００１０】
第２の接続要素も金属製の接続ピンであると有利である。この例では、第２の接続要素もプラグ型コネクタ対応部品のソケット開口によって接触されると有利である。
【００１１】
第２の接続要素は、好ましくは、テスト、検証又はプログラミング信号を送信するために設けられる。従って、電気プラグ型コネクタが、第２の接続要素を備えていない電気プラグ型コネクタと比較して、幅広い用途の可能性を提供することができることが有利である。
【００１２】
電気プラグ型コネクタの発展型では、電気プラグ型コネクタは複数の第１の接続要素を有する。
【００１３】
電気プラグ型コネクタの更なる発展型では、ハウジングがカラーを有し、第１の接続要素が、カラーによって画定されるハウジングの領域内に配置される。このカラーが第１の接続要素を損傷から保護することが有利である。更に、カラーは、電気プラグ型コネクタのユーザによる第１の接続要素の不注意で起こる接触を防止できる。
【００１４】
コード化突起は、カラーによって画定されるハウジングの領域内に配置されると有利である。コード化突起が、電気プラグ型コネクタが不適切なプラグ型コネクタ対応部品と係合することを防止することが有利である。
【００１５】
特に好ましい方法では、コード化突起は底面が台形の筒形状であり、コード化突起の長手軸がプラグ型コネクタの挿入方向と平行に配向され、コード化突起がカラーに当接した状態で配置される。コード化突起のこのような構造は、コード化突起のこのような構造によって電気プラグ型コネクタを適切なプラグ型コネクタ対応部品と係合させることが容易になるので有利であることが分かっている点で有利である。
【図面の簡単な説明】
【００１６】
本発明は、図面を参照して以下により詳細に説明される。
【図１】電気プラグ型コネクタの断面図である。
【図２】電気プラグ型コネクタの平面図である。
【図３】電気プラグ型コネクタの詳細を示す。
【発明を実施するための形態】
【００１７】
図１は電気プラグ型コネクタ１００の断面図である。電気プラグ型コネクタ１００は、図２に示す切断線ＡＡに沿って切断されている。電気プラグ型コネクタ１００は、例えば、自動車において使用される。
【００１８】
電気プラグ型コネクタ１００は、ハウジング１１０を有する。ハウジング１１０は、好ましくは、例えばプラスチック材料製の電気絶縁材料から構成される。ハウジング１１０は、電気プラグ型コネクタ１００の挿入領域１３０を画定する中空円筒状カラー１２０を有する。１つ以上の第１の電気接続要素２００が、ハウジング１１０によって少なくとも部分的に包囲されたプラグ型コネクタ内部空間１５０から、壁１６０を介して挿入領域１３０へ延出している。図１の例では、２つの第１の接続要素２００が確認できる。第１の接続要素２００は、導電性材料から構成され、好ましくは金属材料から構成される。
【００１９】
図１の例では、電気プラグ型コネクタ１００の挿入領域１３０には他のコンポーネント１４０が配置されている。他のコンポーネント１４０は、電気プラグ型コネクタ１００が基づく原理を説明するのに重要ではなく、以下では言及されない。
【００２０】
図２は、電気プラグ型コネクタ１００のハウジング１１０のカラー１２０及びカラー１２０によって画定された挿入領域１３０の平面図である。カラー１２０がハウジング１００の壁１６０上に垂直配置された円筒状カバーの形状を有していることが確認できる。
【００２１】
カラー１２０によって画定された挿入領域１３０には、４つの第１の電気接続要素２００が配置されている。第１の接続要素２００は、プラグ型コネクタ内部空間１５０から電気プラグ型コネクタ１００のハウジング１１０の壁１６０を通って挿入領域１３０内に延出する。図示の例では、第１の接続要素２００は、接続ピンとして構成されている。しかしながら、コンタクトスリーブとして又は異なる方法で第１の接続要素２００を構成することもできる。
【００２２】
第１の接続要素２００は、ハウジング１１０の壁１６０から垂直に且つカラー１２０の長手軸と平行に延出する。長手方向のカラー１２０の長さは、挿入領域１３０に配置された第１の接続要素の部分の長さよりも長い。これによって、電気プラグ型コネクタ１００のユーザによる第１の接続要素２００の不注意で起こる接触が防止される。
【００２３】
第１の接続要素２００は、挿入領域１３０において規則的に配列されている。図示の例では、第１の接続要素２００は、夫々、直線に沿って同一の相互間隔を空けて配置されている。しかし、挿入領域１３０において第１の接続要素２００の異なる幾何学的配置を有することも可能である。
【００２４】
カラー１２０によって画定された電気プラグ型コネクタ１００の挿入領域１３０には、コード化突起３００が更に設けられている。コード化突起３００は、電気プラグ型コネクタ１００の挿入領域１３０には電気プラグ型コネクタ１００と係合するために提供されるプラグ型コネクタの対応部品のみが挿入されることができることを保証するように機能する。このため、電気プラグ型コネクタ対応部品は、そのプラグ型コネクタ対応部品が電気プラグ型コネクタ１００と係合されるとプラグ型コネクタ対応部品が電気プラグ型コネクタ１００のコード化突起３００を収容するように配置された凹みを有する。
【００２５】
コード化突起３００は、図示の例では筒状に構成され、台形の底面を有する。コード化突起３００の長手軸は、カラー１２０の長手軸と平行に配向され、その結果、第１の接続要素２００及び電気プラグ型コネクタ１００の挿入方向とも平行である。筒状のコード化突起３００の被覆面が電気プラグ型コネクタ１００のカラー１２０に当接する。好ましくは、長手方向のコード化突起３００の長さは、カラー１２０の長さよりも短い。特に好ましい方法では、コード化突起３００の長さは、挿入領域１３０に配置された第１の接続要素２００の部分の長さに対応する。
【００２６】
図３は、電気プラグ型コネクタ１００の挿入領域１３０に配置されたコード化突起３００の詳細図である。図３では、コード化突起３００がコード化突起３００の長手軸と平行にコード化突起３００を貫通するように伸びる円筒形開口３２０を有していることが確認できる。コード化突起３００の円筒形開口３２０には第２の電気接続要素３１０が配置されている。第２の電気接続要素３１０は、結果的に、第１の電気接続要素２００と平行に延出し、同様に挿入領域１３０から壁１６０を通ってプラグ型コネクタ内部空間１５０内に延出する。
【００２７】
図示の例では、第２の接続要素３１０は、コード化突起３００の円筒形開口３２０に配置された接続ピンとして構成される。しかしながら、第２の接続要素３１０は、コンタクトスリーブとして又は異なる方法によって構成されることもできる。
【００２８】
第２の接続要素は、テスト、検証、又はプログラミング信号を伝達するために設けられてもよい。第２の接続要素３１０の存在が挿入領域１３０に必要な空間要求を増加しないことが有利である。コード化突起３００は、いずれの場合も、電気プラグ型コネクタ１００の挿入領域１３０に設けられなければならないので、コード化突起３００における第２の接続要素３１０の配置は電気プラグ型コネクタ１００の空間要求を増加しない。
【図１】
2014507780.tif 000003
【図２】
2014507780.tif 000004
【図３】
2014507780.tif 000005
【国際調査報告】
2014507780.tif 000006
2014507780.tif 000007